【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
座板を有するシャッターの面に沿って延びるベルトと、
前記ベルトを床面又は前記座板に固定する固定部と、
前記シャッター及び前記ベルトを巻き取る巻き取り部と、を備えたシャッター保護装置。
【請求項２】
請求項１記載のシャッター保護装置において、
前記巻き取り部は、前記シャッター及び前記ベルトをともに巻き取る巻取装置を有するシャッター保護装置。
【請求項３】
請求項１記載のシャッター保護装置において、
前記巻き取り部は、前記シャッターを巻き取る第１の巻取装置と、
前記ベルトを巻き取る第２の巻取装置と、を有するシャッター保護装置。
【請求項４】
請求項２又は３記載のシャッター保護装置において、
前記シャッターの内側の面に、前記ベルトをガイドするガイド部が設けられているシャッター保護装置。
【請求項５】
請求項４記載のシャッター保護装置において、
前記ベルトは、金属板を有するシャッター保護装置。
【請求項６】
座板を有するシャッターと、
前記シャッターの面に沿って延びるベルトと、
前記ベルトを床面又は前記座板に固定する固定部と、
前記シャッター及び前記ベルトを巻き取る巻き取り部と、を備えたシャッター装置。
【手続補正２】
【補正対象書類名】明細書
【補正対象項目名】全文
【補正方法】変更
【補正の内容】
【発明の詳細な説明】
【発明の名称】シャッター保護装置及びシャッター装置
【技術分野】
【０００１】
本発明は、シャッター保護装置及びシャッター装置に関する。
【背景技術】
【０００２】
【０００３】
図１１はスクリーンを併設したシャッター装置の左半分の破断斜視図である。
図１１に示すように、巻き取り並びに巻き戻し自在なシャッターカーテン１０６の下部座板１０５に、このシャッターカーテン１０６の前面または背面に展張されるスクリーン１１１の下端部を連結して成るスクリーン併設のシャッター装置Ｂにおいて、この下部座板１０５をシャッターカーテン１０６の内外方向で二つの分割座板に分割すると共に、弾性変形によって互いに係合離脱自在な係止体と被係止体を分割座板に連設して、これら二つの分割座板を互いに連結ならびに連結解除可能に構成し、かつ、一方の分割座板の立ち上がり分割板部と、他方の分割座板の立ち上がり分割板部とによってスクリーン下端部の上方への抜け出しを阻止する係止連結部を連設した、装飾用の写真や絵画、文字、模様、その他宣伝広告などを貼付またはプリントしたスクリーン併設のシャッター装置であって、下部座板１０５に対するスクリーン下端部の脱着を極めて簡易かつ迅速に行える技術を提供する。この構成によれば、係止体と被係止体との係合を弾性変形によって離脱させて、二つの分割座板の連結を解除させることで、係止連結部に対するスクリーン下端部の係止連結が解除され、ひいては、シャッターカーテンの下部座板１０５に対するスクリーン下端部の連結が解除される。一方、係止連結部にスクリーン１１１の下端部を係止させつつ、係止体と被係止体とを弾性変形によって係合させて、二つの分割座板を連結させることで、係止連結部と他方の分割座板の立ち上がり分割板部とによって、スクリーン下端部の上方への抜け出しを阻止する状態で、シャッターカーテン１０６の下部座板１０５に対するスクリーン下端部の係止連結が達成される。即ち、係止体と被係止体との弾性的な係合離脱による二つの分割座板の連結ならびに連結解除の簡単な操作によって、シャッターカーテン１０６の下部座板１０５に対するスクリーン下端部の係止連結と、その連結の解除とが簡易に達成され、スクリーン下端部の下部座板に対する着脱を、手間をかけずに簡易かつ迅速に行えるようになった（特許文献１参照）。
【先行技術文献】
【特許文献】
【０００４】
【特許文献１】特公平６−４５９８９号公報
【発明の概要】
【発明が解決しようとする課題】
【０００５】
しかしながら、このスクリーン併設のシャッター装置は、シャッターの前面または背面に表示する装飾用・宣伝用などのスクリーンを併設したものである。
本発明は、損壊や変形を抑えるシャッター保護装置及びシャッター装置を提供することを目的とする。
【課題を解決するための手段】
【０００６】
前記目的に沿う第１の発明に係るシャッター保護装置は、座板を有するシャッターの面に沿って延びるベルトと、
前記ベルトを床面又は前記座板に固定する固定部と、
前記シャッター及び前記ベルトを巻き取る巻き取り部と、を備える。
【０００７】
第１の発明に係るシャッター保護装置において、
前記巻き取り部は、前記シャッター及び前記ベルトをともに巻き取る巻取装置を有することが好ましい。
【０００８】
第１の発明に係るシャッター保護装置において、
前記巻き取り部は、前記シャッターを巻き取る第１の巻取装置と、
前記ベルトを巻き取る第２の巻取装置と、を有していてもよい。
【０００９】
第１の発明に係るシャッター保護装置において、
前記シャッターの内側の面に、前記ベルトをガイドするガイド部が設けられていることが好ましい。
【００１０】
第１の発明に係るシャッター保護装置において、
前記ベルトは、金属板を有することが好ましい。
【００１１】
前記目的に沿う第２の発明に係るシャッター装置は、座板を有するシャッターと、
前記シャッターの面に沿って延びるベルトと、
前記ベルトを床面又は前記座板に固定する固定部と、
前記シャッター及び前記ベルトを巻き取る巻き取り部と、を備える。
【００１２】
【００１３】
【００１４】
【００１５】
【００１６】
【発明の効果】
【００１７】
本発明によれば、シャッターの損壊や変形が抑えられる。
【００１８】
【００１９】
【００２０】
【００２１】
【００２２】
【００２３】
【００２４】
【００２５】
【００２６】
【００２７】
【図面の簡単な説明】
【００２８】
【図１】本発明の第１の実施形態に係るシャッターベルトをシャッターの室内側面に装着したシャッターベルト装置の概略図であり、（ａ）は室内側から見た正面図、（ｂ）は（ａ）に示すＡ―Ａ線の断面端面図、（ｃ）は室内側にシャッターケースを設けた場合の巻回装置の断面図、（ｄ）は室外側にシャッターケースを設けた場合の巻回装置の断面図、（ｅ）はシャッターおよびシャッターベルトを固定するプーリの斜視図である。
【図２】本発明の第１の実施形態に係るシャッターベルト装置の係止手段および解除手段の詳細を示す拡大図であり、（ａ）は図１の（ａ）に示すＢ部の拡大図、（ｂ）は（ａ）に示すＣ―Ｃ線の断面端面図である。
【図３】本発明の第１の実施形態に係るシャッターベルトを装着する動作を説明する工程断面図であり、（ａ）は装着した状態を示す正面断面端面図、（ｂ）は（ａ）に示すＤ―Ｄ線の断面端面図、（ｃ）は装着する前の状態を示す正面断面端面図、（ｄ）は（ｃ）に示すＥ―Ｅ線の断面端面図である。
【図４】本発明の第２の実施形態に係るシャッターベルトをシャッターの外側面に装着したシャッターベルト装置の概略図であり、（ａ）は正面図、（ｂ）は（ａ）に示すＦ―Ｆ線の断面端面図、（ｃ）は室内側にシャッターケースを設けた場合の巻回装置の断面図、（ｄ）は室外側にシャッターケースを設けた場合の巻回装置の断面図である。
【図５】本発明の第２の実施形態に係るシャッターベルト装置の係止手段および解除手段の詳細を示す拡大図であり、（ａ）は図４の（ａ）に示すＧ部の拡大図、（ｂ）は（ａ）に示すＨ―Ｈ線の断面端面図である。
【図６】本発明の第２の実施形態に係るシャッターベルトを装着する動作を説明する工程断面図であり、（ａ）は装着した状態を示す正面断面端面図、（ｂ）は（ａ）に示すＪ―Ｊ線の断面端面図、（ｃ）は装着する前の状態を示す正面断面端面図、（ｄ）は（ｃ）に示すＫ―Ｋ線の断面端面図である。
【図７】本発明の第３の実施形態に係るシャッターベルトをシャッターの内側面に装着したシャッターベルト装置の係止手段および解除手段の詳細図を示し、（ａ）は装着した状態を示す係止手段および解除手段の正面図、（ｂ）は（ａ）に示すＬ―Ｌ線の断面端面図、（ｃ）は装着前の状態を示す係止手段および解除手段の正面図、（ｄ）は（ｃ）に示すＭ―Ｍ線の断面端面図である。
【図８】本発明の第３の実施形態に係るシャッターベルトをシャッターの外側面に装着したシャッターベルト装置の係止手段および解除手段の詳細図を示し、（ａ）は装着した状態を示す係止手段および解除手段の正面断面端面図、（ｂ）は（ａ）に示すＮ―Ｎ線の断面端面図、（ｃ）は装着前の状態を示す係止手段および解除手段の正面断面端面図、（ｄ）は（ｃ）に示すＰ―Ｐ線の断面端面図である。
【図９】本発明の第４の実施形態に係るシャッターベルト装置の巻回装置の概略を示し、（ａ）は室内側にシャッターケースを設けた場合の巻回装置の断面図、（ｂ）は（ａ）のＱに示すプーリおよびシャッターベルトの平面図、（ｃ）は（ａ）のＱに示すプーリおよびシャッターベルトの詳細図、（ｄ）は室外側にシャッターケースを設けた場合の巻回装置の断面図、（ｅ）はシャッターベルトの断面図である。
【図１０】本発明の第４の実施形態に係るシャッターベルト装置の巻回装置の概略を示し、（ａ）は室内側にシャッターケースを設け、室外側にシャッターベルトを設けた場合の巻回装置の断面図、（ｂ）は室外側にシャッターケースを設け、室外側にシャッターベルトを設けた場合の巻回装置の断面図、（ｃ）はシャッターの真上にシャッターケースを設けた場合の巻回装置の断面図である。
【図１１】従来の実施形態を示す概略図である。
【発明を実施するための形態】
【００２９】
＜第１の実施形態＞
以下、本発明の第１の実施形態を図面を参照しながら詳細に説明する。
図１は、本発明の第１の実施形態に係るシャッターベルトをシャッターの室内側面に装着したシャッターベルト装置の概略図であり、（ａ）は室内側から見た正面図、（ｂ）は（ａ）に示すＡ―Ａ線の断面端面図、（ｃ）は室内側にシャッターケースを設けた場合の巻回装置の断面図、（ｄ）は室外側にシャッターケースを設けた場合の巻回装置の断面図、（ｅ）はシャッターおよびシャッターベルトを固定するプーリの斜視図である。
図１の（ａ）（ｂ）（ｃ）に示すように、台風や竜巻などの強風や、暴動・泥棒などによる破壊行為からシャッターの室内側や室外側からの損壊や変形を防御するシャッターベルト装置１は、平らで細長い帯状の強靭なグラスファイバーを混入させた高分子化合物製の外装に通常のハサミなどでは切断できないような厚さを有する、例えば０．５ｍｍ厚程度の金属板をサンドイッチ状に内装したシャッターベルト２、このシャッターベルト２を床面に固定する係止手段３、この係止手段３を解除する解除手段４、およびシャッターベルト２をガイド孔５ａに挿通させて摺動可能にガイドするガイド孔５ａを有するガイド機構５を備えている。通常、シャッター装置６は、複数のスラット６ａａを上下に連結して構成されたシャッター６ａと、このシャッター６ａを両サイドから支持する左ガイドレール６ｂａと右ガイドレール６ｂｂと、シャッター６ａをプーリ（回転体）６ｄに巻き取るシャフト軸６ｃとを備え、このシャフト軸６ｃの両端にはシャフト軸を軸支するブラケット６ｆが設けられている。さらに、シャッター６ａは、これらの少なくとも、シャッター６ａ、シャフト軸６ｃ、およびプーリ６ｄを収納するシャッターケース６ｅを備えている。また、このシャッター６ａには、室内側を示すシャッター内面６ａｂと、外側を示すシャッター外面６ａｃがある。
【００３０】
巻回装置８において、シャッターベルト２は、その根元２ａがプーリ６ｄに巻き取り可能に固定されている。このプーリ６ｄはシャフト軸６ｃに設けられており、シャフト軸６ｃに摺動可能に挿着されている。例えば、手動の場合は、シャッター６ａが手動で上下に移動されるとプーリ６ｄが回転すると共にプーリ６ｄに固定されたシャッターベルト２が上下動する。また、電動の場合は、不図示の駆動装置で回転駆動されるプーリ６ｄの回転と共に、シャッターベルト２はその根元２ａがシャッター６ａと一緒に巻き取られる。このときシャッター６ａは、シャッター内面６ａｂをシャフト軸６ｃ側にしてシャッターベルト２と一緒にほぼ密着し併行して巻き取られる。また、このシャッターベルト２の先端２ｂには係止手段３の一方の鉤部３ａが固定されて設けられている。そして、床面７に設けられた凹部７ａにはフック部３ｂが凹部７ａから突出しないように設けられている。この鉤部３ａにシャッターベルト２の先端２ｂが固定されているので、この鉤部３ａがフック部３ｂに係止されることによって、シャッターベルト２は床面７に強固に固定される。また、下板（水切り）６ａｄにはガイド機構５が溶接などで固定されて設けられている。このガイド機構５にはガイド孔５ａが設けられている。シャッターベルト２は、このガイド孔５ａに通されてシャッター６ａの面とは一体的でスライド動作がスムーズにガイドされている。
【００３１】
なお、以上、シャッターケース６ｅを室内側に設けた図で説明したように、シャッターケース６ｅを室内側に設けた場合には、図１の（ｅ）に示すように、プーリ６ｄに固定されるシャッター６ａとシャッターベルト２とは、シャッター６ａの下にシャッターベルト２を重ねて固定位置６ｇにボルトナットで固定したが、図１の（ｄ）に示すように、シャッターケース６ｅを室外側に設けた場合には、プーリ６ｄに固定されるシャッター６ａとシャッターベルト２とは重ねる順序を逆にする。
【００３２】
図２は、本発明の第１の実施形態に係るシャッターベルト装置の係止手段および解除手段の詳細を示す拡大図であり、（ａ）は図１の（ａ）に示すＢ部の拡大図、（ｂ）は（ａ）に示すＣ―Ｃ線の断面端面図である。
図２の（ａ）に示すように、係止手段３は、鉤部３ａとフック部３ｂを備えている。鉤部３ａは、シャッターベルト２の先端２ｂにボルト・ナットを備える固定具５ｃで固定して設けられている。鉤部３ａには拡径部３ａａが形成されている。フック部３ｂは、鉤部３ａの拡径部３ａａを挟むように左右一対に形成されており、少なくとも一方が可動する。これらフック部３ｂは床面（地面）７を平面に保つ必要性から地面７から突起しないように凹部７ａに機能を発揮可能に埋設されている。この鉤部３ａはフック部３ｂに引っかかることによってしっかりと係止される。
【００３３】
また、係止手段３を解除するために解除手段４が設けられている。この解除手段４は、可動側のフック３ｂｂを開放させる電磁式駆動装置４ａと、この電磁式駆動装置４ａを起動させるリモコン４ｂを備えている。この電磁式駆動装置４ａはリモコン４ｂなどでオンオフされ、このリモコン４ｂを操作することで起動・停止などの制御がなされる。鉤部３ａとフック部３ｂとの係合を解除するためには、この電磁式駆動装置４ａを用いて、一対のフック３ｂａ、３ｂｂの間は互いに離間させる方向へ移動させる。また、固定側のフック３ｂａと可動側のフック３ｂｂには、互いに近接するように引張型コイル式のバネ３ｃが掛けられている。したがって、一対のフック部３ｂはノーマルクローズとなっていて、鉤部３ａが挿着されると、一対のフック部３ｂによって係止される。そして、鉤部３ａとフック部３ｂとの係合を解除するために、解除手段４が、一対のフック部３ｂａ、３ｂｂの間を互いに離間させる方向へ移動させる駆動装置４ａを備えることによって、一人でも容易に操作可能である。また、これによって、シャッター６ａが閉鎖されるとシャッターベルト２も床面７にしっかりと固定され、台風や竜巻などの強風や、暴動・泥棒などによる破壊などの外圧や内圧からシャッター面を損壊や変形から防御することができる。
【００３４】
また、一対のフック部３ｂの固定側のフック３ｂａと可動側のフック３ｂｂには、互いに離間するように圧縮型コイル式のバネを掛けても構わない。この場合には、電磁式駆動装置４ａは、固定側のフック３ｂａと可動側のフック３ｂｂが、互いに近接する方向に駆動することによって、係止するようにしても構わないが、さらに、緩み止めなどの機構が必要となるため、通常は本実施例のような構成が望ましい。
このように、一対のフック部３ｂが互いに離間または近接を行なうバネを備えることによって、ノーマルオープンまたはノーマルロック状態とすることができる。
この実施形態では、一対のフック部３ｂが常時近接方向に付勢するバネを備えている。これによって、ノーマルロック状態とすることができ、シャッター６ａのロックを壊してもリモコン４ｂが無ければシャッターベルト２が外れないため、シャッターベルト２と一体的に形成されたシャッター６ａも破壊されることがなく、防犯上極めて効果的である。安心・安全である。
また、シャッターベルト２とシャッター６ａとの一体性を形成するためにシャッター６ａの下板６ａｄにガイド機構５が固定されている。これによれば、シャッターベルト２とシャッター６ａとの一体性が形成され、シャッター６ａのロックを壊してもシャッターベルト２が外れないため、シャッターベルト２と一体的に形成されたシャッター６ａも破壊されることがなく、防犯上極めて効果的である。
【００３５】
図３は、本発明の第１の実施形態に係るシャッターベルトを装着する動作を説明する工程断面図であり、（ａ）は装着した状態を示す正面断面端面図、（ｂ）は（ａ）に示すＤ―Ｄ線の断面端面図、（ｃ）は装着する前の状態を示す正面断面端面図、（ｄ）は（ｃ）に示すＥ―Ｅ線の断面端面図である。
図３の（ａ）（ｂ）に示すように、シャッター６ａが閉められて、シャッターベルト２も床面７に固定されている。図３の（ｃ）（ｄ）に示すように、シャッター６ａもシャッターベルト２も開放されている。
【００３６】
このシャッターベルト装置は軽量であり、一人でも容易に設置することができ、高所作業が不要なため足場が不要であり、設置のために脚立を用いたりする必要もなく安全で容易である。また、従来は設置に時間がかかっていたが、いろんなサイズのシャッターにも簡単に容易に設置することが可能であり、シャッターの種類や形状を問わないため、どのメーカのシャッターにも容易に設置ができる。また、使わないときの収納場所が不要であり、部品を紛失する怖れがなく、置き忘れもない。さらに、高価でない。
【００３７】
＜第２の実施形態＞
次に、第２の実施形態を説明する。
図４〜図６は、本発明の第２の実施形態に係るシャッターベルト装置を示す図である。第２の実施形態が、第１の実施形態と異なる点は、第１の実施形態では、シャッターベルト２がシャッター６ａの内側（室内側）に装着されているが、第２の実施形態では、シャッターベルト２がシャッター６ａの外側（室外側）に装着されている点である。なお、図４〜図６において、図１〜図３と同様の構成については同符号を付し、その説明を省略する。
図４は、本発明の第２の実施形態に係るシャッターベルトをシャッターの外側面に装着したシャッターベルト装置の概略図であり、（ａ）は正面図、（ｂ）は（ａ）に示すＦ―Ｆ線の断面端面図、（ｃ）は室内側にシャッターケースを設けた場合の巻回装置の断面図、（ｄ）は室外側にシャッターケースを設けた場合の巻回装置の断面図である。
図５は、本発明の第２の実施形態に係るシャッターベルト装置の係止手段および解除手段の詳細を示す拡大図であり、（ａ）は図４の（ａ）に示すＧ部の拡大図、（ｂ）は（ａ）に示すＨ―Ｈ線の断面端面図である。
図６は、本発明の第２の実施形態に係るシャッターベルト装置を装着する動作を説明する工程断面図であり、（ａ）は装着した状態を示す正面断面端面図、（ｂ）は（ａ）に示すＪ―Ｊ線の断面端面図、（ｃ）は装着する前の状態を示す正面断面端面図、（ｄ）は（ｃ）に示すＫ―Ｋ線の断面端面図である。
【００３８】
図４、図５および図６に示すように、シャッターベルト装置１は、平らで細長い帯状の強靭なシャッターベルト２がシャッター６ａの室外側（外側）に設けられている。巻回装置８において、シャッターベルト２は、その根元２ａがこのプーリ６ｄに巻き取り可能に固定されている。例えば、プーリ６ｄは、シャッター６ａが巻き上げられる方向に手動または電動で回転すると、シャッターベルト２はその根元２ａがシャッター６ａと一緒にプーリ６ｄに巻き取られる。このときシャッターベルト２はシャッター外面６ａｃ側と一緒にほぼ密着し併行して巻き取られる。
【００３９】
これによって、竜巻などがガラス窓を壊してその勢いがシャッターの内側から襲いかかってシャッターを内側から破壊しようとする力に対しても、外側に設けられたシャッターベルト２によって、シャッターの破壊が防止される。このようなことはめったにないが、遭った場合にも他の店舗が破壊されて休業を余儀なくされるが、シャッターベルト２を取り付けた店舗では翌日から何事もなかったかのように無傷相当で店舗を開店営業することができる。今の時代どんなことが起こってもおかしくない中で、何があっても平静に店舗を開業できることは大変効果的なことである。
【００４０】
＜第３の実施形態＞
次に、第３の実施形態を説明する。
図７は、本発明の第３の実施形態に係るシャッターベルト装置を示す図である。第３の実施形態が、第１の実施形態と異なる点は、第１の実施形態では、シャッターベルト２の先端に固定されている拡径部を備えた鉤部であり、この鉤部と床面の地下に設けられているフック部とで係止手段が構成されていることによって、シャッターベルト２が床面に固定されるが、第３の実施形態では、シャッターベルト２の先端に固定されたフックと、シャッターの座板に設けられたアイボルトとで係止手段が構成されている点である。なお、図７において、図１〜図３と同様の構成については同符号を付し、その説明を省略する。また、図７に示す実施形態の構成と図８に示す実施形態の構成はシャッターベルト２をシャッター６ａの内側に設けるか外側に設けるかの違いであり、並行して説明する。
図７は、本発明の第３の実施形態に係るシャッターベルトをシャッターの内側面に装着したシャッターベルト装置の係止手段および解除手段の詳細図を示し、（ａ）は装着した状態を示す係止手段および解除手段の正面図、（ｂ）は（ａ）に示すＬ―Ｌ線の断面端面図、（ｃ）は装着前の状態を示す係止手段および解除手段の正面図、（ｄ）は（ｃ）に示すＭ―Ｍ線の断面端面図である。
図８は、本発明の第３の実施形態に係るシャッターベルトをシャッターの外側面に装着したシャッターベルト装置の係止手段および解除手段の詳細図を示し、（ａ）は装着した状態を示す係止手段および解除手段の正面断面端面図、（ｂ）は（ａ）に示すＮ―Ｎ線の断面端面図、（ｃ）は装着前の状態を示す係止手段および解除手段の正面断面端面図、（ｄ）は（ｃ）に示すＰ―Ｐ線の断面端面図である。
【００４１】
図７の（ａ）（ｂ）に示すように、シャッター６ａが閉められて、シャッターベルト２も床面７に固定されている。図７の（ｃ）（ｄ）に示すように、シャッターベルト２はシャッター６ａの内側の座板６ａｅに固定された状態であるので、シャッター６ａはシャッターベルト２と共に密着したまま開放されている。係止手段および解除手段は手動であるが、この場合、係止手段はすなわち解除手段でもある。フックとアイボルトを係止するか、逆にフックとアイボルトを解除するかで機能する。
【００４２】
図８の（ａ）（ｂ）に示すように、シャッター６ａが閉められて、シャッターベルト２と共に床面７に固定されている。図８の（ｃ）（ｄ）に示すように、シャッターベルト２はシャッター６ａの外側の座板６ａｅに固定された状態である。
【００４３】
このように、係止手段および解除手段がフックとアイボルトを備えて形成されていることによって、シャッターベルトをシャッターの座板６ａｅに一体的に設けることができ、簡易的ではあるがシャッターとシャッターベルトとが外れないためシャッターの損壊を防ぐことができると共に、いろんなサイズのシャッターにも容易に設置することが可能であり、シャッターの種類や形状を問わないため、どのメーカのシャッターにも容易に設置が可能である。また、本願発明者が以前出願した中柱固定装置と併用することでさらに効果が高まる。またこれに類した物が市販されているが、どう考えても消費者の立場に立っているとは思えない。Ｗ寸法およびＨ寸法に限度があり、１．５ｍの高さに水平に設置することを前提にしているようであり、強度的に難がある。
【００４４】
＜第４の実施形態＞
次に、第４の実施形態を説明する。
図９および図１０は、本発明の第４の実施形態に係るシャッターベルト装置を示す図である。第４の実施形態が、第１の実施形態と異なる点は、第１の実施形態では、シャッタケース６ｅに収納されているシャフト軸６ｃに挿着されたプーリ６ｄにシャッターベルト２が巻き取られているが、第４の実施形態では、シャッターベルト２を巻き取る巻回装置８´がシャフト軸６ｃとは別にシャフト軸６ｃの傍らに設けられている点である。なお、図９および図１０において、図１〜図３と同様の構成については同符号を付し、その説明を省略する。
図９は、本発明の第４の実施形態に係るシャッターベルト装置の巻回装置の概略を示し、（ａ）は室内側にシャッターケースを設けた場合の巻回装置の断面図、（ｂ）は（ａ）のＱに示す回転体（プーリ）およびシャッターベルトの平面図、（ｃ）は（ａ）のＱに示す回転体（プーリ）およびシャッターベルトの詳細図、（ｄ）は室外側にシャッターケースを設けた場合の巻回装置の断面図、（ｅ）はシャッターベルトの断面を示す斜視図である。
図１０は、本発明の第４の実施形態に係るシャッターベルト装置の巻回装置の概略を示し、（ａ）は室内側にシャッターケースを設け、室外側にシャッターベルトを設けた場合の巻回装置の断面図、（ｂ）は室外側にシャッターケースを設け、室外側にシャッターベルトを設けた場合の巻回装置の断面図、（ｃ）はシャッターの真上にシャッターケースを設けた場合の巻回装置の断面図である。
【００４５】
図９の（ａ）に示すように、シャッタケース６ｅにはシャフト軸６ｃとプーリ６ｄが設けられ、このシャフト軸６ｃの近傍には、すなわち図中左下側には、巻回装置８´が設けられている。この巻回装置８´の軸２ｃで軸支された回転体２ｄには、所定の長さ引き出し可能にシャッターベルト２の根元２ａが固定され、シャッターベルト２を根元方向へ巻き取り可能に付勢されている。ガイドローラ２ｅはシャッターベルト２をシャッター６ａと併行して設けるためのガイドをしている。
図９の（ｂ）に示すように、巻回装置８´の回転体２ｄに巻回された幅５０ｍｍとしたシャッターベルト２の両サイドをフランジ２ｆで支持したものである。
図９の（ｃ）に示すように、厚さ０．８〜１ｍｍとしたシャッターベルト２が直径１００ｍｍのプーリ２ｄに巻き取られている。この場合、巻き取り径は１１０ｍｍとなっているが、プーリ２ｄやシャッターベルト２の厚さは適宜変更可能である。
図９の（ｄ）に示すように、シャッタケース６ｅを室外側に設けた場合は、巻回装置８´をシャフト軸の上方、つまり図中右上に配置される。
図９の（ｅ）に示すように、シャッターベルト２は、長さ２ｍ、幅５０ｍｍ、厚さ０．８ｍｍとした例で示している。さらに、厚さ．０．３〜０．５ｍｍ程度の形状記憶合金で形成された帯状金属板２ｇが内装されている。これによって、シャッターベルト２の巻き取りを容易にすることができると共に、カッターやハサミなどで切断されることが無いため、帯状金属板２ｇの周囲を外装するグラスファイバ材の強靭さと共に、シャッター６ａを保護することができる。
【００４６】
以上、好ましい実施の形態を説明したが、本発明は前記実施の形態に限定されるものではなく、本発明の要旨を逸脱することの無い範囲内において適宜変更が可能なものである。例えば、巻回装置ではシャッターベルトを使わないときは形状記憶合金の巻き取り付勢力で巻き上がるようにしているが、巻尺方式や安全ベルト方式などその他の構造であっても構わない。
また、シャッターベルトを巻き取る巻回装置をシャフト軸の付近に適宜設けるように説明したが、回転しないシャフト軸に固定して装着しても構わない。また、シャッターを固定するプーリとは別に、シャッターベルトを固定するプーリを設けても構わない。また、アイボルトを座板に設け、フック部を床面に設けたが、サイドレールの下端に取り付けて、たすき掛けのように設けても構わない。また、シャフト軸は回転する方式もあるが設計上適宜選択可能である。
【００４７】
【符号の説明】
【００４８】
１  シャッターベルト装置
２  シャッターベルト
２ａ  根元
２ｂ  先端
２ｃ  シャフト軸
２ｄ  回転体、プーリ
２ｅ  ガイドローラ
２ｆ  フランジ
２ｇ  帯状金属
３  係止手段
３ａ  鉤部
３ａａ  拡径部
３ｂ  フック部、一対のフック部
３ｂａ  固定側のフック部
３ｂｂ  可動側のフック部
３ｃ  バネ
３ｄ  フック
３ｅ  アイボルト
４  解除手段
４ａ  電磁式駆動装置
４ｂ  リモコン
５  ガイド機構
５ａ  ガイド孔
５ｂ  溶接
５ｃ  固定具、ボルト、ナット
６  シャッター装置
６ａ  シャッター
６ａａ  スラット
６ａｂ  シャッター内面
６ａｃ  シャッター外面
６ａｄ  下板、水切り
６ａｅ  座板
６ａｆ  手掛け穴
６ｂａ  左ガイドレール
６ｂｂ  右ガイドレール
６ｃ  シャフト軸
６ｄ  回転体、プーリ
６ｅ  シャッターケース
６ｆ  ブラケット
６ｇ  固定位置
７  床面、地面
７ａ  凹部、係合穴
７ｂ  床蓋
８、８´  巻回装置